(57)【特許請求の範囲】
【請求項１】
使用中の旧ロールから巻き戻し搬送される帯状可撓性支持体の末端部と、新ロールから巻き戻し搬送される帯状可撓性支持体の先端部とを突き合わせた状態で、接合テープにより接合するウエブの突き合わせ接合方法において、
一対の切断ドラムの一方に前記新ロールの帯状可撓性支持体の先端部を保持させるとともに、接合ドラムに接合テープを供給することによって、突き合わせ接合の準備を行う準備ステップと、
前記準備ステップ後、前記一対の切断ドラムと前記接合ドラムとを前記帯状可撓性支持体の搬送速度と同速度で回転駆動し、前記一対の切断ドラムによって、前記旧ロールの帯状可撓性支持体と前記新ロールの帯状可撓性支持体とを重ね合わせた状態で、且つ、前記帯状可撓性支持体の幅方向に対して斜めに切断する切断ステップと、
前記切断ステップで切断された二つの帯状可撓性支持体の端部の突き合わせ部分を前記一対の切断ドラムの一方と前記接合ドラムとで協働保持しながら、該突き合わせ部を接合位置に送り込む送込ステップと、
前記接合位置に送り込まれた突き合わせ部に、前記接合ドラムで前記接合テープを貼着する接合ステップと、
前記切断ステップで斜めに切断された旧ロールの帯状可撓性支持体の切断残部を前記一対の切断ドラムの一方に吸着することによって前記新ロールの帯状可撓性支持体から剥離させる剥離ステップであって、前記切断残部の走行方向の先端側の鋭角部を他の部分よりも大きな吸引力で吸引する剥離ステップと、を備えたことを特徴とするウエブの突き合わせ接合方法。
【請求項２】
使用中の旧ロールから巻き戻し搬送される帯状可撓性支持体の末端部と、新ロールから巻き戻し搬送される帯状可撓性支持体の先端部とを突き合わせた状態で、接合テープにより接合するウエブの突き合わせ接合装置において、
前記旧ロールと前記新ロールとを巻き戻し可能に支持し、所定角度ごとに回転可能なターレット手段と、
接合運転時に前記帯状可撓性支持体の搬送速度と同速度で回転駆動することによって、旧ロールの帯状可撓性支持体と新ロールの帯状可撓性支持体とを重ね合わせた状態で切断する一対の切断ドラムと、
前記接合テープを保持するテープ保持部を備え、接合運転時に前記帯状可撓性支持体の搬送速度と同速度で回転駆動することによって、前記二つの帯状可撓性支持体の端部の突き合わせ部に前記接合テープを貼着する接合ドラムと、
前記一対の切断ドラムの一方に設けられ、該一対の切断ドラムによる切断線に沿って配列されるとともに、前記切断線の方向に短く、前記切断線に直交する方向に長い形状に形成される複数の吸着口によって前記旧ロールの帯状可撓性支持体の切断残部を吸着する吸着機構と、を備え、
前記一対の切断ドラムは、前記帯状可撓性支持体の幅方向に対して斜めに切断するように構成され、
前記吸着機構は、斜めに切断された旧ロールの帯状可撓性支持体の切断残部において先端側の鋭角部を吸着する吸着口のピッチが他の部分を吸着する吸着口のピッチよりも狭くなるように構成されることを特徴とするウエブの突き合わせ接合装置。
【請求項３】
前記吸着口は、タンクを介して吸引装置に接続され、前記タンクと前記吸着口との間にはバルブが配設されることを特徴とする請求項２に記載のウエブの突き合わせ接合装置。
【請求項４】
使用中の旧ロールから巻き戻し搬送される帯状可撓性支持体の末端部と、新ロールから巻き戻し搬送される帯状可撓性支持体の先端部とを突き合わせた状態で、接合テープにより接合するウエブの突き合わせ接合装置において、
前記旧ロールと前記新ロールとを巻き戻し可能に支持し、所定角度ごとに回転可能なターレット手段と、
接合運転時に前記帯状可撓性支持体の搬送速度と同速度で回転駆動することによって、旧ロールの帯状可撓性支持体と新ロールの帯状可撓性支持体とを重ね合わせた状態で、且つ、前記帯状可撓性支持体の搬送方向に対して斜めに切断する一対の切断ドラムと、
前記接合テープを保持するテープ保持部を備え、接合運転時に前記帯状可撓性支持体の搬送速度と同速度で回転駆動することによって、前記二つの帯状可撓性支持体の端部の突き合わせ部に前記接合テープを貼着する接合ドラムと、
前記一対の切断ドラムの一方に設けられ、該一対の切断ドラムによる切断線に沿って配列された複数の吸着口によって、旧ロールの帯状可撓性支持体の切断残部を吸着するとともに、前記切断残部の先端側の鋭角部を吸着する吸着力が他の部分を吸着する吸着力よりも大きくなるように構成された吸着機構と、を備えたことを特徴とするウエブの突き合わせ接合装置。  
【発明の詳細な説明】
【技術分野】
【０００１】
本発明はウエブの突き合わせ接合方法及び装置に係り、特にプラスチック、紙、金属箔等の帯状可撓性支持体（以下、「ウエブ」と称する）の端部同士を接合するウエブの突き合わせ接合方法及び装置に関する。
【背景技術】
【０００２】
この種のウエブの突き合わせ接合装置は、特許文献１に記載されるように、ウエブのターレット装置、ウエブの切断接合ユニット等から構成されている。ターレット装置はターレットアームを有し、このターレットアームの両端部に軸支された旧ロールと新ロールとの位置を配置転換させて、ウエブを切断接合ユニットに順次供給するものである。切断接合ユニットは、一対の切断ドラムと接合ドラムとを有しており、巻き戻されている旧ロールのウエブ末端部と、巻き戻しが開始される新ロールのウエブ先端部とを連続供給しながら切断ドラムによって切断し、切断後のウエブの端部同士を接合ドラムによって接合テープで接合するものである。このような接合装置によれば、旧ロールのウエブと新ロールのウエブとを連続供給しながら、その端部同士を突き合わせ接合することができる。
【０００３】
ところで、一対の切断ドラムでウエブを切断した際、旧ロールのウエブは切断位置よりも末端側に不要な切断残部を生じる。この切断残部は、接合作業後に切断ドラムに吸着されて取り除かれる。このため、切断ドラムには、切断位置の下流側に複数の吸着口が設けられており、この吸着口によって切断残部を切断ドラムに吸着できるようになっている。従来の吸着口は円形に形成されており、ドラムの幅方向に一定の間隔で配列されている。
【特許文献１】特開平９−３２３８４８号公報
【発明の開示】
【発明が解決しようとする課題】
【０００４】
しかしながら、従来装置では、吸着口に切断残部を吸着した際、その切断残部が吸着口の位置で凹みを生じるという問題が生じ、さらに切断残部に重なっている新ロールのウエブが同時に吸引されて凹みを生じるという問題があった。このため、接合テープを貼着した際に接合テープと新ロールのウエブとの間にエアが入り込み、ウエブを良好に接合することができないという不具合があった。
【０００５】
このような不具合は吸着口における吸着力を弱めることによって解消することができる。しかし、その場合には、旧ロールのウエブの切断残部を吸着する力が弱まり、切断残部が新ロールのウエブから剥離されずに一緒に搬送されるおそれが発生する。
【０００６】
本発明はこのような事情に鑑みてなされたもので、旧ロールのウエブの切断残部を確実に吸着して新ロールのウエブから剥離することができ、且つ、接合テープによる接合作業に悪影響を及ぼすおそれのないウエブの突き合わせ接合方法及び装置を提供することを目的とする。
【課題を解決するための手段】
【０００９】
請求項１に記載の発明は前記目的を達成するために、使用中の旧ロールから巻き戻し搬送される帯状可撓性支持体の末端部と、新ロールから巻き戻し搬送される帯状可撓性支持体の先端部とを突き合わせた状態で、接合テープにより接合するウエブの突き合わせ接合方法において、一対の切断ドラムの一方に前記新ロールの帯状可撓性支持体の先端部を保持させるとともに、接合ドラムに接合テープを供給することによって、突き合わせ接合の準備を行う準備ステップと、前記準備ステップ後、前記一対の切断ドラムと前記接合ドラムとを前記帯状可撓性支持体の搬送速度と同速度で回転駆動し、前記一対の切断ドラムによって、前記旧ロールの帯状可撓性支持体と前記新ロールの帯状可撓性支持体とを重ね合わせた状態で、且つ、前記帯状可撓性支持体の幅方向に対して斜めに切断する切断ステップと、前記切断ステップで切断された二つの帯状可撓性支持体の端部の突き合わせ部分を前記一対の切断ドラムの一方と前記接合ドラムとで協働保持しながら、該突き合わせ部を接合位置に送り込む送込ステップと、前記接合位置に送り込まれた突き合わせ部に、前記接合ドラムで前記接合テープを貼着する接合ステップと、前記切断ステップで斜めに切断された旧ロールの帯状可撓性支持体の切断残部を前記一対の切断ドラムの一方に吸着することによって前記新ロールの帯状可撓性支持体から剥離させる剥離ステップであって、前記切断残部の走行方向の先端側の鋭角部を他の部分よりも大きな吸引力で吸引する剥離ステップと、を備えたことを特徴とする。
【００１０】
請求項１の発明によれば、切断残部の走行方向の先端側の鋭角部を他の部分よりも大きな吸引力で吸引するようにしたので、切断残部の剥離を効率良く行うことができる。したがって、全体の吸引力を増加させることなく、切断残部の剥離の効率を向上させることができるので、接合テープによる接合作業に悪影響を及ぼすことなく、切断残部の剥離を確実に行うことができる。
【００１１】
請求項２に記載の発明は前記目的を達成するために、使用中の旧ロールから巻き戻し搬送される帯状可撓性支持体の末端部と、新ロールから巻き戻し搬送される帯状可撓性支持体の先端部とを突き合わせた状態で、接合テープにより接合するウエブの突き合わせ接合装置において、前記旧ロールと前記新ロールとを巻き戻し可能に支持し、所定角度ごとに回転可能なターレット手段と、接合運転時に前記帯状可撓性支持体の搬送速度と同速度で回転駆動することによって、旧ロールの帯状可撓性支持体と新ロールの帯状可撓性支持体とを重ね合わせた状態で切断する一対の切断ドラムと、前記接合テープを保持するテープ保持部を備え、接合運転時に前記帯状可撓性支持体の搬送速度と同速度で回転駆動することによって、前記二つの帯状可撓性支持体の端部の突き合わせ部に前記接合テープを貼着する接合ドラムと、前記一対の切断ドラムの一方に設けられ、該一対の切断ドラムによる切断線に沿って配列されるとともに、前記切断線の方向に短く、前記切断線に直交する方向に長い形状に形成される複数の吸着口によって前記旧ロールの帯状可撓性支持体の切断残部を吸着する吸着機構と、を備え、前記一対の切断ドラムは、前記帯状可撓性支持体の幅方向に対して斜めに切断するように構成され、前記吸着機構は、斜めに切断された旧ロールの帯状可撓性支持体の切断残部において先端側の鋭角部を吸着する吸着口のピッチが他の部分を吸着する吸着口のピッチよりも狭くなるように構成されることを特徴とする。
【００１２】
請求項２の発明は、切断ドラムの吸着口が切断線の方向に短く、切断線に直交する方向に長い形状に形成されているので、帯状可撓性支持体が吸着口に落ち込んで凹むことを防止でき、且つ、吸着口による帯状可撓性支持体の強い吸着力を維持することができる。したがって、新ロールの帯状可撓性支持体が凹んで接合不良を発生することを防止しつつ、旧ロールの帯状可撓性支持体の切断残部を確実に吸着して新ロールの帯状可撓性支持体から剥離することができる。また、切断残部の先端側の鋭角部を吸着する吸着口のピッチが他の部分のピッチよりも狭いので、切断残部の先端側の鋭角部を吸着する吸着力が他の部分よりも大きくなる。したがって、切断残部を新ロールの帯状可撓性支持体から効率良く剥離することができる。
【００１５】
請求項３に記載の発明は請求項２の発明において、前記吸着口は、タンクを介して吸引装置に接続され、前記タンクと前記吸着口との間にはバルブが配設されることを特徴とする。したがって、請求項３の発明によれば、吸引装置によってタンク内を負圧にした状態で、バルブを開閉操作することによって、吸着口に対して大きな吸着力を急速に付与することができる。
【００１６】
請求項４に記載の発明は前記目的を達成するために、使用中の旧ロールから巻き戻し搬送される帯状可撓性支持体の末端部と、新ロールから巻き戻し搬送される帯状可撓性支持体の先端部とを突き合わせた状態で、接合テープにより接合するウエブの突き合わせ接合装置において、前記旧ロールと前記新ロールとを巻き戻し可能に支持し、所定角度ごとに回転可能なターレット手段と、接合運転時に前記帯状可撓性支持体の搬送速度と同速度で回転駆動することによって、旧ロールの帯状可撓性支持体と新ロールの帯状可撓性支持体とを重ね合わせた状態で、且つ、前記帯状可撓性支持体の搬送方向に対して斜めに切断する一対の切断ドラムと、前記接合テープを保持するテープ保持部を備え、接合運転時に前記帯状可撓性支持体の搬送速度と同速度で回転駆動することによって、前記二つの帯状可撓性支持体の端部の突き合わせ部に前記接合テープを貼着する接合ドラムと、前記一対の切断ドラムの一方に設けられ、該一対の切断ドラムによる切断線に沿って配列された複数の吸着口によって、旧ロールの帯状可撓性支持体の切断残部を吸着するとともに、前記切断残部の先端側の鋭角部を吸着する吸着力が他の部分を吸着する吸着力よりも大きくなるように構成された吸着機構と、を備えたことを特徴とする。
【００１７】
請求項４の発明は、切断残部の走行方向の先端側の鋭角部を他の部分よりも大きな吸引力で吸引するようにしたので、切断残部の剥離を効率良く行うことができる。したがって、全体の吸引力を増加させることなく、切断残部の剥離の効率を向上させることができるので、接合テープによる接合作業に悪影響を及ぼすことなく、切断残部の剥離を確実に行うことができる。
【発明の効果】
【００１８】
本発明によれば、切断ドラムの吸着口が切断線の方向に短く、切断線に直交する方向に長い形状に形成されているので、帯状可撓性支持体が吸着口に落ち込んで凹むことを防止でき、且つ、吸着面積を確保して強い吸着力を確保することができる。したがって、新ロールの帯状可撓性支持体が凹んで接合不良を発生することを防止しつつ、旧ロールの帯状可撓性支持体の切断残部を確実に吸着して新ロールの帯状可撓性支持体から剥離することができる。
【発明を実施するための最良の形態】
【００１９】
以下添付図面に従って本発明に係るウエブの突き合わせ接合方法及び装置の好ましい実施の形態について説明する。
【００２０】
図１は、本発明の実施の形態に係るウエブの突き合わせ接合装置の全体構成図である。同図に示すように、接合装置１０は主として、ターレット装置１２、及び、切断接合ユニット１４で構成される。
【００２１】
ターレット装置１２はターレットアーム１８を有し、このターレットアーム１８は、支柱２０に軸２２を支点として回転可能に設けられている。ターレットアーム１８の一方端には、ウエブの巻き戻しが終了する旧ロール２４が軸２６を介して回転可能に支持され、他方端にはウエブの巻き戻しが開始される新ロール２８が軸３０を介して回転可能に支持されている。旧ロール２４に巻回されているウエブ３２は、旧ロール２４から巻き戻された後、ガイドローラ３４、３６に転接され、切断接合ユニット１４に導かれている。
【００２２】
切断接合ユニット１４は図２に示すように、切断ドラム３８、切断接合ドラム（切断ドラムに相当）４０、及び接合ドラム４２で構成され、各々のドラム３８、４０、４２が機枠４１に設置されている。また、各々のドラム３８、４０、４２は不図示の駆動モータからの動力によって同期して回転される。
【００２３】
前述した旧ロール２４からのウエブ３２は、切断ドラム３８と切断接合ドラム４０との間、及び、切断接合ドラム４０と接合ドラム４２との間に挿通された後、ウエブ３２の張力変動や速度変動を緩衝する緩衝装置（不図示）に送られる。一方、新ロール２８からのウエブ４４の先端は、切断ドラム３８に吸着されて接合準備完了の状態に待機される。
【００２４】
切断ドラム３８の外周部にはカッター４６が設けられる。カッター４６は、切断ドラム３８の外周面から所定量だけ突出した状態に取りつけられている。また、カッター４６は、切味良化のため、切断ドラム３８の幅方向（すなわちウエブ３２、４４の幅方向）に対して所定の傾斜角θ°で取りつけられている。切断接合ドラム４０には、カッター４６が当接する位置に切断部４８が設けられており、この切断部４８とカッター４６で、ウエブ３２とウエブ４４を重ねて挟み込むことによって、ウエブ３２とウエブ４４が切断される。
【００２５】
切断ドラム３８の表面には平坦部が設けられ、この平坦部には通気孔５０、５０が形成される。これらの通気孔５０、５０は、回転中空軸５２に形成された通気孔５４を介して、回転中空軸５２の内部空間５２Ａに連通される。回転中空軸５２の内部空間５２Ａは、不図示の吸引装置が連通されており、この吸引装置を駆動することによって、通気孔５０、５０に吸引力が働き、ウエブ４４の先端近傍が通気孔５０、５０に吸着保持される。また、切断ドラム３８の表面には、カッター４６に対して回転方向の下流側となる位置に噴出口６１が形成されている。この噴出口６１は、回転中空軸５２に形成された通気孔６３を介して回転中空軸５２の内部空間５２Ｂに連通される。内部空間５２Ｂは、不図示の送気装置に連通されており、この送気装置を駆動することによって、噴出口６１からエアが噴出される。これにより、ウエブ４４を切断した後の切断残部（図５参照）４４Ｂを切断ドラム３８から離脱することができる。なお、噴射口６１から噴射したエアが接合ドラム４２に直接当たらないように、邪魔板（不図示）を設けることが好ましい。
【００２６】
接合ドラム４２には吸気孔５６、５６が形成されている。この吸気孔５６は、回転中空軸５８に形成された通気孔６０に連通されており、回転中空軸５８は不図示の吸引装置が連結されている。したがって、吸引装置を駆動することによって、接合テープ６２が吸気孔５６に吸着保持される。なお、接合テープ６２は、不図示のテープ供給装置によって自動的に供給される。
【００２７】
図２に示すように、切断接合ドラム４０は断面が略Ｄ状に形成されており、円弧状の外周部分に前述した切断部４８が取りつけられる。また、円弧状の外周部分の両端位置には、ガイドローラ４３、４３が回動自在に取りつけられており、円弧状の外周部分の両端位置でウエブ３２が引っかからないようになっている。
【００２８】
また、円弧状の外周部分には、切断部４８に対して回転方向の下流側となる位置に、複数の吸着口４５、４５…（図２には一つのみ図示）が形成されている。この吸着口４５は、回転中空軸４７に形成された通気孔４９に連通されており、回転中空軸４７は、タンク５１を介して吸気装置５３に接続されている。タンク５１と回転中空軸４７とを連通する配管にはバルブ５５が配設されており、このバルブ５５を開閉することによって、回転中空軸４７とタンク５１との連通、遮断が制御される。タンク５１は、回転中空軸４７よりも十分に大きい内部容量を有しており、このタンク５１と回転中空軸４７とを連通することによって、吸着口４５に吸着力を急激に付与することができる。
【００２９】
図７は、切断接合ドラム４０の正面図であり、吸着口４５の配置を示している。同図において、二点鎖線は切断ドラム３８のカッター４６が当接する位置、すなわち切断線を示している。
【００３０】
同図に示すように、複数の吸着口４５、４５…は、切断線に近接して、且つ、切断線と平行に配列されている。各吸着口４５と切断線との間隔は、できるだけ近いことが好ましいが、近すぎると切断時に悪影響を及ぼすので、３〜５ｍｍ程度が好ましい。このように吸着口４５と切断線との間隔を狭くすることによって、ウエブ３２の切断残部（すなわち、切断後のウエブ３２の末端側部分：図６参照）３２Ｂの先端を吸着することができ、切断残部３２Ｂをウエブ４４から効率良く剥離することができる。
【００３１】
各吸着口４５は、切断線の方向に狭く、且つ、切断線に直交する方向に長い矩形状に形成される。各吸着口４５をこのような細長い矩形状に形成することによって、吸着口４５に吸着したウエブ３２の切断残部３２Ｂが凹むことを防止することができ、且つ、十分な吸着面積を確保して切断残部３２Ｂを確実に吸着することができる。
【００３２】
また、吸着口４５は、三個ずつ近接して形成されている。三個の吸着口４５から成る吸着口群は、一つの丸い通気孔５７に連通され、この通気孔５７を介して回転中空軸４７に連通される。
【００３３】
吸着口群同士のピッチは、回転方向の上流側となる部分（すなわち切断残部３２Ｂの先端側の鋭角部を吸着する部分）のピッチＬ１が、他の部分のピッチＬ２よりも小さくなるように形成されている。したがって、切断残部３２Ｂの先端側の鋭角部を吸着する吸着力は、切断残部３２Ｂの他の部分を吸着する吸着力よりも大きくなる。このように切断残部３２Ｂの先端側の鋭角部を大きな吸着力で吸着することによって、切断残部３２Ｂを新ロール２８のウエブ４４から効率よく剥離することができる。なお、ピッチＬ１、Ｌ２は、吸着口群の一辺Ｌ０を８〜１５ｍｍとした際に１０〜２０ｍｍの範囲で設定することが好ましい。
【００３４】
図２に示すように、切断ドラム３８、切断接合ドラム４０、接合ドラム４２の中間位置には、ガイド部材７２が設けられる。ガイド部材７２は、その表面がフッ素樹脂等によってコーティングされ、ウエブ３２、４４が滑らかに摺動するようになっている。また、ガイド部材７２は、その上面が円弧状に形成されており、切断接合ドラム４０が回転して円弧状の外周面がガイド部材７２に対向した際に、ガイド部材７２が切断接合ドラム４０の円弧状の外周面に対して一定の間隔になるように形成されている。このガイド部材７２でガイドすることによって、ウエブ３２、４４の端部同士を突き合わせた状態のまま接合位置に送り込むことができる。
【００３５】
次に上記の如く構成されたウエブの突き合わせ接合装置の作用について図２〜図６に基づいて説明する。
【００３６】
まず、準備ステップとして、図２に示すように切断ドラム３８に新ロール２８のウエブ４４の先端部を保持させる。また、接合ドラム４２に接合テープ６２を保持させる。この状態で、旧ロール２４からのウエブ３２の送り出しを継続する。そして、ウエブ３２の末端部が現れた際に、その末端部をセンサにより検出し、センサの検出信号に基づいて切断ドラム３８、切断接合ドラム４０、接合ドラム４２の回転駆動を開始する。
【００３７】
切断ドラム３８、切断接合ドラム４０を回転することによって、ウエブ３２、４４は、図３に示すように、重ね合わされた状態で切断ドラム３８と切断接合ドラム４０との間に送り込まれる。そして、図４に示すように、ウエブ３２、４４は、切断ドラム３８のカッター４６と切断接合ドラム４０の切断部４８とに挟み込まれて切断される（切断ステップ）。
【００３８】
切断されたウエブ３２、４４は、ウエブ３２の末端とウエブ４４の先端とが突き合わされた状態で、切断ドラム３８と切断接合ドラム４０から送り出される。その際、切断ドラム３８の噴出口６１からエアを噴射することによって、前記突き合わせ部分を、ガイド部材７２と切断接合ドラム４０との隙間に確実に送り込むことができる。送り込まれたウエブ３２、４４は、ガイド部材７２にガイドされることによって、突き合わせ状態を維持したまま、ガイド部材７２と切断接合ドラム４０との隙間を移動し、図５に示すように接合位置に送り込まれる（送込ステップ）。なお、ウエブ３２、４４を送り込む際、新ロール２８のウエブ４４の切断残部（すなわち切断位置よりも先端側の部分）４４Ｂは、切断ドラム３８に吸着されてウエブ３２から剥離され、取り除かれる。また、旧ロール２４のウエブ３２の切断残部３２Ｂは、切断接合ドラム４０の吸着口４５に吸着され、ウエブ４４に重なった状態で接合位置に送り込まれる。
【００３９】
接合位置に送り込まれたウエブ３２、４４は、その突き合わせ部に接合テープ６２が圧着される。これにより、ウエブ３２、４４の突き合わせ部が接合される（接合ステップ）。
【００４０】
接合されたウエブ３２、４４は、後段の緩衝装置（不図示）に送られて、張力変動や速度変動が緩衝される。接合後のウエブ３２、４４が緩衝装置に送り出される際、図６に示す如く切断接合ドラム４０が回転することによって、切断接合ドラム４０に吸着したウエブ３２の切断残部３２Ｂがウエブ４４から剥離される（剥離ステップ）。剥離後の切断残部３２Ｂは、末端処理装置（不図示）によって除去される。なお、切断残部３２Ｂを末端処理装置で除去する代わりに、旧ロール２４を逆回転することによって旧ロール２４に巻き取るようにしてもよい。
【００４１】
上述したように、本実施の形態によれば、切断接合ドラム４０の吸着口４５を、切断線の方向に短く、切断線と直交する方向に長い矩形状に形成したので、吸着口４５に吸着した切断残部が吸着口４５の位置で凹むことを防止でき、且つ、吸着口４５の開口面積を十分に確保して切断残部３２Ｂを確実に吸着することができる。よって、ウエブ４４が吸着口４５の位置で凹むことがないので、ウエブ４４と接合テープ６２との間にエアが入り込むことを防止でき、接合テープ６２の接合不良を防止することができる。
【００４２】
また、本実施の形態によれば、吸着口４５を矩形状に形成し、切断線と平行に配置したので、吸着口４５と切断線との間隔を狭くすることができ、切断残部３２Ｂの先端近傍を吸着することができる。これにより、切断残部３２Ｂを小さな吸着力で、ウエブ４４から効率よく剥離することができる。
【００４３】
また、本実施の形態によれば、複数の吸着口４５、４５…を切断線に沿って配置するとともに、剥離時の作用点となる切断残部３２Ｂの先端側の鋭角部において吸着口４５、４５…のピッチを他の部分のピッチよりも狭くして吸着力を大きくしたので、切断残部３２Ｂを効率よく剥離することができる。したがって、吸着口４５の全体での吸着力を大きくすることなく、先端残部を吸着して確実に剥離することができる。
【００４４】
さらに、本実施の形態によれば、吸着口４５と吸引装置５３との間にタンク５１を設けてタンク５１内を負圧にするとともに、このタンク５１と吸着口４５との間にバルブ５５を設けて開閉するようにしたので、吸着口５１に大きな吸引力を急激に付与することができる。
【００４５】
なお、上述した実施形態は、吸着口４５を三個ずつ近接して配置することにより吸着口群を形成し、この吸着口群を所定のピッチＬ１、Ｌ２で配置するようにしたが、吸着口４５そのものを所定のピッチで配置するようにしてもよい。
【００４６】
また、上述した実施の形態は、切断残部３２Ｂの先端側の鋭角部における吸着口群のピッチＬ１を他の部分のピッチＬ２よりも狭くすることによって吸着力が大きくなるようにしたが、この部分の吸着口４５と他の部分の吸着口４５とを別々の吸引装置に接続することによって吸着力を変えるようにしてもよい。
【図面の簡単な説明】
【００４７】
【図１】本発明の実施の形態に係るウエブの突き合わせ接合装置の全体構成図
【図２】切断接合作業前の切断接合ユニットを示す構成図
【図３】切断接合作業を説明するための切断接合ユニットの構成図
【図４】切断接合作業を説明するための切断接合ユニットの構成図
【図５】切断接合作業を説明するための切断接合ユニットの構成図
【図６】切断接合作業を説明するための切断接合ユニットの構成図
【図７】吸着口の配置を示す切断接合ドラムの正面図
【符号の説明】
【００４８】
１０…ウエブの突き合わせ接合装置、１２…ターレット装置、１４…ウエブの切断接合ユニット、３２…ウエブ、３２Ｂ…切断残部、３８…切断ドラム、４０…切断接合ドラム、４２…接合ドラム、４４…ウエブ、４５…吸着口、７２…ガイド部材
【図１】
0004483740.tif 000002
【図２】
0004483740.tif 000003
【図３】
0004483740.tif 000004
【図４】
0004483740.tif 000005
【図５】
0004483740.tif 000006
【図６】
0004483740.tif 000007
【図７】
0004483740.tif 000008